(57)【要約】      （修正有）【課題】毎月末のカレンダーの差換え作業が極めて容易であり、しかも３カ月分の単月カードを間違いなく時系列に沿った順列状態に装着でき、長期にまたがる製品の開発プロジェクトやイベント活動、販促キャンペーン等に於けるスケジュールの立案や進捗管理業務に際して、月順の倒置に伴うストレスを感じることなく円滑に推進し、実行することが可能な順列カレンダーを提供する。【解決手段】１月〜１２月に至る各月カレンダーを独立した単体のカードとし、別途に準備した台紙の留め具に３カ月分ずつ正しい順列状態に差し込み、装着する。月替わりには終了月を留め具から引き抜き、残りの２カ月分の位置をそれぞれ左に移動させた上で、次月の単月カードを留め具に装着して新たな３カ月が正しい順列状態で掲示されることとなる。【選択図】図１
0003164858.tif 000002
【実用新案登録請求の範囲】
【請求項１】
１月から１２月までの各月の日付、曜日、メモ欄等のカレンダー情報を印刷した１２枚
の単月カードを、別途に用意した厚手の台紙の留め具に３ヶ月分を並べて装着することに
よって、１月・２月・３月、２月・３月・４月、３月・４月・５月という具合に、どの月
に於いても常に時系列に沿った順列状態で掲示することを可能とする。  
【請求項２】
本考案は原理的に、壁掛けカレンダー、卓上カレンダー、シート式（下敷）カレンダー、アクリルスタンド式カレンダー等、台紙の形状や構造、素材等の違いに伴うカレンダーの種類の如何を問わず適用することが可能である。ただし台紙に装着中の単月カードを除く未使用単月カードの収納方法及び収納部位等については、カレンダーの種類に応じて適宜必要な加工を行なうものとする。
【考案の詳細な説明】
【技術分野】
【０００１】
本考案は、１月から１２月までの各月の日付、曜日、メモ欄等のカレンダー情報を印刷
した個別の単月カード３ヶ月分を、別途に用意する厚手の台紙の留め具に時系列に沿って
装着することによって、どの月に於いても常に１月・２月・３月、２月・３月・４月、３
月・４月・５月という具合に順列状態で掲示することを可能とする。
【０００２】
ただし、台紙に掲示できるカレンダーの月数は必ずしも３カ月に限定する必要はなく、
４カ月又はそれ以上の複数月分を同時に装着することも可能であるが、本明細書に於いて
は３カ月に限定して説明するものとする。  
【背景技術】
【０００３】
現在、市場で一般に流通している３ヶ月カレンダーの多くは、３ヶ月分のカレンダー情報を１枚の用紙上に配置し印刷した上で、加工段階で各月の境界部分にミシン目を入れ、月が替わるごとにひと月分ずつ切り離すように構成され、その切り離した月の下から新たな３ヶ月目のカレンダーが顔を出す構造となっている。
【０００４】
３ヶ月等の複数月のカレンダーを同時に連続的に掲示するアイデアについては、以下に掲げるような複数の特許及び実用新案取得事例が存在する。
【先行技術文献】
【特許文献】
【０００５】
【特許文献１】登録実用新案第３０４３３４５号
【特許文献２】特許公開２００２−１０３８４９号
【特許文献３】特許公開２００４−０１７３５１号
【特許文献４】登録実用新案第３０９０１９２号
【特許文献５】登録実用新案第３０９９９４０号
【０００６】
上記の[特許文献１]登録実用新案第３０４３３４５号は、[０００３]に挙げた市場で流通している３ヶ月カレンダーの一例であり、月替りの際に先頭月のカレンダーをめくって天のリング状留め具の裏側に回し送ると、その位置に新たな３ヶ月目に当たるカレンダーが現れる仕組みになっている。
【０００７】
上記[特許文献２]特許公開２００２−１０３８４９号のカレンダーの場合、カレンダー懸架用の２カ所の突起を設けた専用の台紙に、縦に連続して印刷された１３ヶ月分のカレンダー用紙に月毎に折り目を入れ、そのうち３ヶ月分のみを突起部に装着して表示し、残り月のカレンダーについては台紙の裏面に回して収納する構造になっている。
【０００８】
上記[特許文献３]特許公開２００４−１７３５１号のカレンダーについても、上記[０００７]の場合と同様に１月から１２月までのカレンダー情報を１枚の用紙に縦帯状に配置して印刷し、これを上下２本の保持具及び５本の支持棒等で構成される専用の装置にロール状に装着し回転させることで、３ヶ月分ずつを同時に掲示する構造になっている。
【０００９】
上記[特許文献４]登録実用新案第３０９０１９２号のカレンダーに於いては、やはり１枚の用紙に縦帯状に配置された１月から１２月までのカレンダー用紙を３ヶ月毎に経本折り状に折畳んだ上で、上下２段の懸架用フックに装着し、月替わりに上段のフックに捲り上げることで次の３ヶ月分のカレンダーを表示する仕掛けになっている。
【００１０】
上記[特許文献５]登録実用新案第３０９９９４０号のカレンダーの場合は、１月から６月までの６ヶ月間及び７月から１２月までの６ヶ月間に分かれた計２組のロール状カレンダー用紙を天部分に設けた塩ビ製ホルダーに装着し、月替わりの際、同ホルダーから用紙を外して折り直した上で新たな３ヶ月分のカレンダーを掲示する仕組みである。
【考案の概要】
【考案が解決しようとする課題】
【００１１】
上記[０００３]に述べたミシン目切り取り方式による既成の３ヶ月カレンダー及び[０００６]登録実用新案第３０４３３４５号のリング方式のカレンダーに於いては、最初の［１月・２月・３月］の次は［４月・２月・３月］、さらに［４月・５月・３月］という具合に各月のカレンダーの並びが倒置され、正しい時系列に沿った順列状態から外れてしまう欠点がある。
【００１２】
当考案は、このカレンダーの配列が倒置されてしまう欠点に着眼し、どの月においても３ヶ月分のカレンダー情報が常に時系列に沿った正しい順列状態に並べられ、また月替わりのカレンダーの差換え作業が極めて簡単に行なえることを課題とする。
【００１３】
上記[０００７]に挙げた特許公開２００２−１０３８４９号のカレンダーの場合、順列状態を維持するという目的は達成しているが、月替わりの架け替え作業の際、装着用の２カ所の突起部から用紙をいったん外して折り直した上で、終了月及び未使用月の台紙裏面への収納作業を含め、改めて突起部に装着し直すという煩瑣な作業を伴う。
【００１４】
また[０００８]に挙げた特許公開２００４−１７３５１号の場合も、順列状態を維持することには成功しているが、こちらは上下２カ所の保持具及び５本の支持棒等で構成される特殊な懸架装置を必要とするため、一般的なカレンダーの製作費に比べてかなり割高になることが避けられない。  
【００１５】
また[０００９]に挙げた登録実用新案第３０９０１９２号のカレンダーについても、月替りにロール状の用紙を懸架用フックから外して折り直した上で、再度装着し直す作業が不可欠であり、[００１３]の場合と同様、利用者の立場から見て煩瑣な印象を免れない。
【００１６】
また[００１０]に挙げた登録実用新案第３０９９９４０号のカレンダーに於いては、５月・６月・７月のように、表示される３ヶ月分の組合せが前半６ヶ月と後半６ヶ月にまたがる際に、終了した４月分を一旦切り取った上で、前後半２組の用紙を重ね合わせる作業を必要とし、こちらもあまり使い勝手が良いとは言い難い。
【課題を解決するための手段】
【００１７】
本考案は、[００１１]及び[００１２]に述べた課題を解決するために、１月〜１２月の各月のカレンダー情報を掲載した単月カードを別途に用意した厚手の台紙の留め具に３カ月分、常に時系列に沿った順列状態を成すようにワンタッチで差し込み、装着するものである。
【００１８】
月の替わり目には、終了した月の単月カードを留め具から抜き取り、残された２カ月分のカードの留め位置をそれぞれ左にずらした上で、次月の単月カードを留め具に装着することによって、新たな３カ月分のカレンダーが正しい順列状態で掲示されることになる。
【考案の効果】
【００１９】
本考案に於いては毎月末のカレンダーの差換え作業が極めて容易であり、しかも３カ月分の単月カードを間違いなく時系列に沿った順列状態に装着できるため、長期にまたがる製品の開発プロジェクトやイベント活動、販促キャンペーン等に於けるスケジュールの立案や進捗管理業務に際して、月順の倒置に伴うストレスを感じることなく円滑に推進し、実行することが可能である。  
【００２０】
また本考案は原理的に極めてシンプルな方式であるため、カレンダー用紙を装着する台紙の形態や構造、素材の種類等の相違にかかわらず、壁掛け式・卓上式・シート式（下敷）・アクリル・スタンド式等幅広いカレンダーへの適用が可能であり、また必要な単月カードのみを自由に取り出し、手元で書き込むことができるという便利性もある。
【考案を実施するための形態】
【００２１】
以下、本考案を実施するための形態について、図面に基づき、壁掛けカレンダーの場合を実施例として説明する。
【００２２】
図１は、本考案を壁掛けカレンダーに於いて実施した場合の正面図で、各月毎に独立した単月カード１を３カ月分、別途に用意した厚手の台紙２の天頂部に設けた塩ビ製ホルダーの留め具３に数字の若い順、つまり時系列に沿った順列状態を成すように差し込んで装着したイメージを表わし、留め具の中心部には壁掛け用の吊下げフック４がある。
【００２３】
その際、台紙２に装着する単月カード１の天地寸法は台紙２の天地寸法よりも短めとし、その差は台紙の地部分にカレンダーの表題及び会社名等を表示可能な寸法とする。
【００２４】
台紙２に装着する単月カードについては、図２（Ａ）のように１２カ月分つまり１２枚の単月カード１を仕上がりサイズに化粧裁ちしておく場合と、図２（Ｂ）のように３カ月分を１枚のカレンダーシート５に配置し、各月の境界線に切取用ミシン６を入れておく場合の二通りとし、必要に応じて選択するものとする。
【００２５】
単月カード１は、各月とも日時等のカレンダー情報を片面のみに印刷する場合と、カードの両面に各１月ずつ（計２カ月）のカレンダー情報を印刷する場合のいずれかとし、片面の場合は計１２枚、両面の場合は計６枚のカード枚数となる。
【００２６】
ミシン入りカレンダーシート５についても、日時等のカレンダー情報を片面のみに印刷する場合と、両面に各３月ずつ（計６カ月）のカレンダー情報を印刷する場合のいずれかとし、片面の場合シート数は計４枚、両面の場合は計２枚となる。
【００２７】
またミシン入りカレンダーシート５は、購入後、利用者が自分でミシン目から必要な月の単月カードを切り離した上で、台紙２に装着して用いる。
【００２８】
図３は台紙２のウラ面をやや斜め上方から見た斜視図であり、製品を包装する際に、単月カードの帯掛けセット１２又はミシン入りカレンダーシート５を天頂部の塩ビ製ホルダー３で固定された２つ折状態の台紙２の間隙に挿入しておく。
【００２９】
図４は月替わりの単月カード差し替えの際に、使用済みの単月カード又は未使用分の単月カード７を保管するため、台紙２のウラ面に設けたポケットの差し込み口８に差し込むイメージを示す。
【００３０】
図５は台紙の構造及び単月カードの装着状態、単月カードの保管用ポケットの利用イメージを示す立面図であり、台紙は底部９に５ミリ幅前後の遊びを取って２つ折りにした上で表裏ともその天頂部を塩ビ製ホルダー３に差し込み、台紙のオモテ面１０に掲示する単月カード１又は未使用分の単月カード７を、台紙ウラ面１１に設けた単月カード保管ポケットの差し込み口８に挿入する。
【図面の簡単な説明】
【００３１】
【図１】単月カードを台紙に装着したイメージを現す正面図
【図２】（Ａ）単月カード（片面印刷）１２ヶ月分のセットのイメージ（Ｂ）単月カード３カ月分を１枚にまとめた切取りミシン入りのカレンダーシート（片面印刷）４枚
【図３】台紙をウラ側から見た斜視図で、切取りミシン入りカレンダーシート又は単月カードの帯掛けセットを台紙に挿入するイメージ
【図４】台紙をウラ面から見た斜視図で、単月カードを保管用ポケットの差込み口に挿入するイメージ。
【図５】台紙に単月カードを装着及び保管するイメージの側面構造図。
【符号の説明】
【００３２】
１・・・・・・  単月カード
２・・・・・・  台紙
３・・・・・・  留め具（塩ビ製ホルダー）
４・・・・・・  吊下げフック
５・・・・・・  ミシン入りカレンダーシート（３カ月分）
６・・・・・・  切り取り用ミシン
７・・・・・・  使用済みの単月カード
８・・・・・・  単月カード保管ポケット（挿入口）
９・・・・・・  台紙二つ折底部
１０・・・・・  台紙二つ折オモテ面
１１・・・・・  台紙二つ折ウラ面
１２・・・・・  単月カードの帯掛セット
１３・・・・・  帯封 
【図１】
0003164858.tif 000003
【図２】
0003164858.tif 000004
【図３】
0003164858.tif 000005
【図４】
0003164858.tif 000006
【図５】
0003164858.tif 000007
【手続補正書】
【提出日】平成22年10月18日(2010.10.18)
【手続補正１】
【補正対象書類名】実用新案登録請求の範囲
【補正対象項目名】全文
【補正方法】変更
【補正の内容】
【実用新案登録請求の範囲】
【請求項１】
１月から１２月までの各月の日付、曜日、メモ欄等のカレンダー情報を印刷した１２枚の単月カードを、別途に用意した厚手の台紙の留め具に３カ月分を並べて装着することによって、１月・２月・３月、２月・３月・４月、３月・４月・５月という具合に、どの月に於いても常に時系列に沿った状態で掲示することを可能とする順列カレンダーである。